(57)【特許請求の範囲】
【請求項１】
生理的パラメータの測定に関するデータを表示する医療デバイスであって、当該医療デバイスは：
ディスプレイデバイスと；
少なくとも１つのプロセッサであって：
前記ディスプレイデバイスを使用して前記生理的パラメータのためのウィンドウを表示し、該ウィンドウが、前記生理的パラメータの測定値を識別するインジケータを含み；
前記生理的パラメータの測定の自動トリガに応答して、前記生理的パラメータの測定が進行中であることを示す、第１のフォーマットを有する第１のインジケータを更に含むよう、前記ウィンドウを更新し；
前記生理的パラメータの測定の手動トリガに応答して、前記生理的パラメータの測定が進行中であることを示す、第２のフォーマットを有する第２のインジケータにより、前記測定値を識別する前記インジケータを置き換えるよう、前記ウィンドウを更新する；
ようにプログラムされる少なくとも１つのプロセッサと；
を備え、
前記第２のインジケータのフォーマットは、前記第１のインジケータのフォーマットとは異なる、医療デバイス。
【請求項２】
前記第１のインジケータが経時的に静的で、前記第２のインジケータが経時的に動的であり、
前記第１のインジケータが、前記第２のインジケータよりも小さいサイズで表示され、
前記第１のインジケータが、前記測定値を識別する前記インジケータよりも小さいサイズで表示される、
のうちの少なくとも１つである、請求項１に記載の医療デバイス。
【請求項３】
前記少なくとも１つのプロセッサは、
前記生理的パラメータの自動的にトリガされる測定の間に、前記生理的パラメータを推定する予備値を識別するインジケータを含むよう、前記ウィンドウを更新し、
前記生理的パラメータの継続的に精査される推定値が所定の基準に合致したことに応答して、前記予備値を識別するインジケータを含むよう、前記ウィンドウを更新する
ように更にプログラムされる、請求項１又は２のいずれかに記載の医療デバイス。
【請求項４】
前記少なくとも１つのプロセッサは、
前記生理的パラメータの自動的にトリガされる測定の間に、予備値の承諾を受け取り、
前記予備値の承諾の受け取りに応答して、前記自動的にトリガされる測定を終了し、前記生理的パラメータの測定が進行中であることを示す前記第２のインジケータを、前記測定値を識別する前記インジケータで置き換えるよう、前記ウィンドウを更新する
ように更にプログラムされ、前記測定値は前記予備値である、
請求項１乃至３のいずれか一項に記載の医療デバイス。
【請求項５】
前記少なくとも１つのプロセッサは、
自動的にトリガされる測定が、所定の時間内に所定の基準に合致しなかったことに応答して、前記自動的にトリガされる測定を一時停止して、当該医療デバイスのユーザが予備値を承諾することを所定の期間まで待ち、
前記所定の期間内に前記予備値の承諾を受け取らなかったことに応答して、前記自動的にトリガされる測定を中止し、前記生理的パラメータの測定が進行中であることを示す前記第２のインジケータを、前記自動的にトリガされる測定が中止されたことを示すインジケータで置き換えるよう、前記ウィンドウを更新する
ように更にプログラムされる、請求項１乃至３のいずれか一項に記載の医療デバイス。
【請求項６】
前記少なくとも１つのプロセッサは、
タイミングシーケンスに従って、前記生理的パラメータの測定を自動的にトリガし、
前記生理的パラメータの測定の完了に応答して、前記タイミングシーケンスを示すインジケータを含むよう、前記ウィンドウを更新する
ように更にプログラムされる、請求項１乃至５のいずれか一項に記載の医療デバイス。
【請求項７】
前記少なくとも１つのプロセッサは、
前記生理的パラメータの継続的に精査される推定値の安定性及び／又は精度を示すインジケータを含むよう、前記ウィンドウを更新する
ように更にプログラムされる、請求項１乃至６のいずれか一項に記載の医療デバイス。
【請求項８】
前記少なくとも１つのプロセッサは、
前記生理的パラメータの自動的にトリガされる測定の完了に応答して、前記測定値が、当該医療デバイスのユーザにより承諾されたか、あるいは前記自動的にトリガされる測定を完了させるための所定の基準に合致したかどうかを示すインジケータを含むよう、前記ウィンドウを更新する
ように更にプログラムされる、請求項１乃至７のいずれか一項に記載の医療デバイス。
【請求項９】
生理的パラメータの測定に関するデータを表示する医療方法であって、当該医療方法は：
ディスプレイデバイスを使用して前記生理的パラメータのためのウィンドウを表示するステップであって、該ウィンドウが、前記生理的パラメータの測定値を識別するインジケータを含む、ステップと；
前記生理的パラメータの測定の自動トリガに応答して、前記生理的パラメータの測定が進行中であることを示す第１のインジケータを更に含むよう、前記ウィンドウを更新するステップと；
前記生理的パラメータの測定の手動トリガに応答して、前記生理的パラメータの測定が進行中であることを示す第２のインジケータにより、前記測定値を識別する前記インジケータを置き換えるよう、前記ウィンドウを更新するステップと；
を備え、
前記第２のインジケータが経時的に動的で、前記第１のインジケータが経時的に静的であるか、かつ／又は前記第２のインジケータが前記第１のインジケータよりも大きいサイズで表示される、医療方法。
【請求項１０】
前記生理的パラメータの自動的にトリガされる測定の間に、前記生理的パラメータを推定する予備値を識別するインジケータを含むよう、前記ウィンドウを更新するステップと、
前記生理的パラメータの継続的に精査される推定値が所定の基準に合致したことに応答して、前記予備値を識別するインジケータを含むよう、前記ウィンドウを更新するステップと、
を更に含む、請求項９に記載の医療方法。
【請求項１１】
前記生理的パラメータの自動的にトリガされる測定の間に、予備値の承諾を受け取るステップと、
前記予備値の承諾の受け取りに応答して、前記自動的にトリガされる測定を終了し、前記生理的パラメータの測定が進行中であることを示す前記第２のインジケータを、前記測定値を識別する前記インジケータで置き換えるよう、前記ウィンドウを更新するステップと
を更に含み、前記測定値が前記予備値である、
請求項９又は１０のいずれかに記載の医療方法。
【請求項１２】
自動的にトリガされる測定が、所定の時間内に、前記自動的にトリガされる測定を完了するための所定の基準に合致しなかったことに応答して、前記自動的にトリガされる測定を一時停止し、ユーザにより予備値が承諾されることを第２の所定の時間まで待つステップと、
前記第２の所定の時間内に前記予備値の承諾を受け取らなかったことに応答して、前記自動的にトリガされる測定を中止し、前記生理的パラメータの測定が進行中であることを示す前記第２のインジケータを、前記自動的にトリガされる測定が中止されたことを示すインジケータで置き換えるよう、前記ウィンドウを更新するステップと、
を更に含む、請求項９乃至１１のいずれか一項に記載の医療方法。
【請求項１３】
タイミングシーケンスに従って、前記生理的パラメータの測定を自動的にトリガするステップと、
前記生理的パラメータの測定の完了に応答して、前記タイミングシーケンスを示すインジケータを含むよう、前記ウィンドウを更新するステップと、
前記生理的パラメータの継続的に精査される推定値の安定性及び／又は精度を示すインジケータを含むよう、前記ウィンドウを更新するステップと、
のうちの少なくとも１つを更に含む、請求項９乃至１２のいずれか一項に記載の医療方法。
【請求項１４】
生理的パラメータの測定に関するデータを表示するグラフィカルユーザインタフェース（ＧＵＩ）を更に含み、当該ＧＵＩは：
前記生理的パラメータのための前記ウィンドウを表示するディスプレイデバイスを備え、該ウィンドウが、前記生理的パラメータの測定値を識別する前記インジケータを含み、
前記ウィンドウは、前記生理的パラメータの測定の自動トリガに応答して、前記生理的パラメータの測定が進行中であることを示す前記第１のインジケータを更に含むよう更新され、
前記ウィンドウは、前記生理的パラメータの測定の手動トリガに応答して、前記生理的パラメータの測定が進行中であることを示す前記第２のインジケータにより、前記測定値を識別する前記インジケータを置き換えるよう更新される、
請求項１乃至８のいずれか一項に記載の医療デバイス。
【請求項１５】
前記ウィンドウは、前記生理的パラメータの自動的にトリガされる測定の間に、前記生理的パラメータを推定する予備値を識別する前記インジケータを含むように更新され；
前記予備値の承諾は、前記生理的パラメータの前記自動的にトリガされる測定の間に参照され；
前記予備値の承諾を受け取ったことに応答して、前記自動的にトリガされる測定が終了され、前記ウィンドウは、前記生理的パラメータの測定が進行中であることを示す前記第２のインジケータを、前記測定値を識別する前記インジケータで置き換えるように更新され、前記測定値は前記予備値である、
請求項１４に記載の医療デバイス。
【発明の詳細な説明】
【技術分野】
【０００１】
本発明は、一般に、患者モニタリングに関する。具体的な適用は、長期の非周期的測定との関連で見つかり、これに特に関連して説明されるであろう。しかしながら、その適用は他の利用シナリオでも見つかり、必ずしも上述の適用に限定されないことは理解されよう。
【背景技術】
【０００２】
測定は、連続的又は非周期的であり得る。非周期的測定は、手動及び／又は自動で（例えば特定の間隔で繰り返し又は特定の時間シーケンスにより制御される）開始及び／又はトリガされ得る。一部の非周期的測定は、完了までに長期の時間がかかる（すなわち、単に数秒だけでなく、時には、１分の何分の１から、数分までかかる）。この測定時間の間、一部の測定では、推定測定値を絶えず導出して更新し、この推定測定値は通常、更なる時間の経過とともにより良いものとなる。ある基準に合致すると、測定は終了し、推定測定値が最終的な測定値として提供される。これらの基準は、推定測定値が安定するか、特定の品質（例えば精度）が達成されることを含み得る。
【０００３】
公知のシステムでは、測定が進行している間、Ａ）以前に測定された値を、そのタイムスタンプを含め、ディスプレイ上で保持し、目立たない指示（subtle  indication）（例えば以前に測定された値の隣の点）を使用して測定が進行中であることを示すか、Ｂ）以前に測定された値を、そのタイムスタンプを含め、ディスプレイから取り除き、その空間を、測定が進行していることを示す目立ちやすい指示（prominent  indication）（例えば動くダッシュ線のシーケンス）に使用する。測定が進行中であることを示すこれらの２つのアプローチは、特に長期の測定について幾つかの課題を提示する。
【０００４】
測定が進行中であることを示す第１のアプローチ（すなわち、アプローチＡ）の課題は、測定を手動で開始するユーザが、測定が始まって今も進行中であることについて明確なフィードバックを持たないことである。ユーザは、目立たないインジケータを見逃して、「古い」タイムスタンプを見ることにより、その測定が開始を失敗したと結論を下すことがある。測定が開始を失敗したと結論付けることにより、ユーザは潜在的に、（例えば測定を開始させるよう最初に押下されたトグルボタンを再び押すことにより）測定をうっかり停止させ、あるいは以前の測定値を記録することがある。この課題は、あまり訓練されていないユーザや、より長期の測定、そして測定がまだ進行中であることについていずれの他の明確なキューも提供しない測定（例えば非侵襲的血圧（ＮＢＰ）を測定するために使用されるポンプや血圧バンドは、明確なキューを与える）ではより深刻になる。
【０００５】
測定が進行中であることを示す第２のアプローチ（すなわち、アプローチＢ）の課題は、自動的にトリガされた測定の値をチェック及び／又は記録を望むユーザは、新たな測定が自動的にトリガされてまだ進行中であるときに、そのようにチェック及び／又は記録しようとする可能性があることである。ユーザは、測定が終わるまで、潜在的にはかなりの時間を待たなければならない。より頻繁に測定がトリガされ、そのような測定により長い時間がかかると、ユーザにとってそのような挙動はより負担になる。
【発明の概要】
【発明が解決しようとする課題】
【０００６】
本出願は、上記で言及した問題及び他の問題を解決する新たな改善されたシステム及び方法を提供する。
【課題を解決するための手段】
【０００７】
一態様によると、生理的パラメータの測定に関するデータを表示する医療デバイスが提供される。医療デバイスは、ディスプレイデバイスと、少なくとも１つのプロセッサとを含む。少なくとも１つのプロセッサは、ディスプレイデバイスを使用して生理的パラメータのためのウィンドウを表示するようにプログラムされる。ウィンドウが、生理的パラメータの測定値を識別するインジケータを含む。少なくとも１つのプロセッサは、生理的パラメータの測定の自動トリガに応答して、生理的パラメータの測定が進行中であることを示す第１のインジケータを更に含むよう、ウィンドウを更新するように更にプログラムされる。またさらに、少なくとも１つのプロセッサは、生理的パラメータの測定の手動トリガに応答して、生理的パラメータの測定が進行中であることを示す第２のインジケータにより、測定値を識別するインジケータを置き換えるよう、ウィンドウを更新するようにプログラムされる。第２のインジケータは、第１のインジケータに対して目立つものである。例えば第２のインジケータが経時的に動的で、第１のインジケータが経時的に静的であるか、あるいは第２のインジケータは、第１のインジケータよりも大きいサイズで表示されるか、あるいはその双方である。
【０００８】
別の態様によると、生理的パラメータの測定に関するデータを表示する医療方法が提供される。生理的パラメータのためのウィンドウが、ディスプレイデバイスを使用して表示される。ウィンドウは、生理的パラメータの測定値を識別するインジケータを含む。生理的パラメータの測定の自動トリガに応答して、ウィンドウは、生理的パラメータの測定が進行中であることを示す第１のインジケータを更に含むよう更新される。生理的パラメータの測定の手動トリガに応答して、ウィンドウは、生理的パラメータの測定が進行中であることを示す第２のインジケータにより、測定値を識別するインジケータを置き換えるよう更新される。第２のインジケータは、第１のインジケータに対して目立つものである。例えば第２のインジケータが経時的に動的で、第１のインジケータが経時的に静的であるか、あるいは第２のインジケータは、第１のインジケータよりも大きいサイズで表示されるか、あるいはその双方である。
【０００９】
別の態様によると、生理的パラメータの測定に関するデータを表示するグラフィカルユーザインタフェース（ＧＵＩ）が提供される。ＧＵＩは、ディスプレイデバイスを使用して表示される生理的パラメータのためのウィンドウを含む。ウィンドウは、生理的パラメータの測定値を識別するインジケータを含む。ウィンドウは、生理的パラメータの測定の自動トリガに応答して、生理的パラメータの測定が進行中であることを示す第１のインジケータを更に含むよう更新される。ウィンドウは、生理的パラメータの測定の手動トリガに応答して、生理的パラメータの測定が進行中であることを示す第２のインジケータにより、測定値を識別するインジケータを置き換えるよう更新される。
【００１０】
１つの利点は、自動、手動及び長期の測定の改善される表示にある。
【００１１】
別の利点は、臨床医のワークフローの改善にある。
【００１２】
別の利点は、測定が自動又は手動でトリガされたかどうかに応じて、明確かつ適切なフィードバックを与える、改良されるユーザインタフェースにある。
【００１３】
別の利点は、不注意によるユーザのミスの可能性を低減することにある。
【００１４】
別の利点は、臨床医が、バイタルサインの測定値を収集するのに費やす時間の量を低減することにある。
【００１５】
本発明の他の更なる利点は、以下の発明の詳細な説明を読み理解すると、当業者により認識されるであろう。
【図面の簡単な説明】
【００１６】
本発明は、様々なコンポーネント及びコンポーネント構成並びに様々なステップ及びステップ構成の形式を取り得る。図面は、単に好適な実施形態を例示する目的のためであり、本発明を限定するものとして解釈されるべきではない。
【００１７】
【図１】測定を表示するための改良されたグラフィカルユーザインタフェースを有するデバイスの図である。
【００１８】
【図２】パラメータの測定を完了した後のディスプレイを示す図である。
【００１９】
【図３】パラメータの自動的にトリガされた測定が進行している間のディスプレイを示す図である。
【００２０】
【図４Ａ】パラメータの手動でトリガされた測定が進行している間のディスプレイを示す図であり、ディスプレイは、測定が進行中であることを示すシーケンスの第１の要素を含む。
【００２１】
【図４Ｂ】パラメータの手動でトリガされた測定が進行している間のディスプレイを示す図であり、ディスプレイは、測定が進行中であることを示すシーケンスの第２の要素を含む。
【００２２】
【図４Ｃ】パラメータの手動でトリガされた測定が進行している間のディスプレイを示す図であり、ディスプレイは、測定が進行中であることを示すシーケンスの第３の要素を含む。
【００２３】
【図５Ａ】パラメータの手動でトリガされた測定が進行している間のディスプレイを示す図であり、ディスプレイは、測定が進行中であることを示すシーケンスの第１の要素を含み、インジケータは、予備値（preliminary  value）２０を示す。
【００２４】
【図５Ｂ】パラメータの手動でトリガされた測定が進行している間のディスプレイを示す図であり、ディスプレイは、測定が進行中であることを示すシーケンスの第２の要素を含み、インジケータは、予備値２０を示す。
【００２５】
【図５Ｃ】パラメータの手動でトリガされた測定が進行している間のディスプレイを示す図であり、ディスプレイは、測定が進行中であることを示すシーケンスの第３の要素を含み、インジケータは、予備値２３を示す。
【００２６】
【図５Ｄ】パラメータの手動でトリガされた測定が進行している間のディスプレイを示す図であり、ディスプレイは、測定が進行中であることを示すシーケンスの第１の要素を含み、インジケータは、予備値２３を示す。
【００２７】
【図５Ｅ】パラメータの手動でトリガされた測定が進行している間のディスプレイを示す図であり、ディスプレイは、測定が進行中であることを示すシーケンスの第２の要素を含み、インジケータは、予備値２２を示す。
【００２８】
【図５Ｆ】パラメータの手動でトリガされた測定が進行している間のディスプレイを示す図であり、ディスプレイは、測定が進行中であることを示すシーケンスの第３の要素を含み、インジケータは、予備値２２を示す。
【００２９】
【図６】パラメータの測定を完了した後のディスプレイを示す図である。
【００３０】
【図７】パラメータの測定を一時停止（suspend）した後のディスプレイを示す図である。
【００３１】
【図８】所定の基準を満たさないことによりパラメータの測定が一時停止されている間に、予備値を承諾した後のディスプレイを示す図である。
【００３２】
【図９】測定が失敗した場合に、パラメータの測定を完了した後のディスプレイを示す図である。
【００３３】
【図１０】測定が進行している間のディスプレイを示す図である。
【００３４】
【図１１】パラメータの測定が進行している間に、予備値を承諾した後のディスプレイを示す図である。
【００３５】
【図１２】測定の進捗、パラメータの推定値の安定性（stability）、推定値の品質（例えば精度）等のうちの１つ以上を示すインジケータを含むディスプレイを示す。
【００３６】
【図１３】測定された値がどのように承諾されたかを示すインジケータを含むディスプレイを示す図である。
【発明を実施するための形態】
【００３７】
本発明は、測定が進行中であることを示すためのアプローチを提案する。このアプローチによると、以前に測定した値がそのタイムスタンプを含め、ディスプレイ上に維持され、第１のフォーマットの目立たない指示（例えば以前に測定された値の隣の点、あるいは表示される測定値と比べて小さなサイズで表示される別の文字や図形記号）を使用して、自動的にトリガされる測定について、測定が進行中であることを示す。これは、長期の測定を隠すのに有効である。さらに、このアプローチによると、以前に測定された値はそのタイムスタンプを含め、ディスプレイから取り除かれ、その空間が、手動でトリガされた測定について、測定が進行中であることを示す、第２のフォーマットの目立ちやすい指示（例えば動くダッシュのシーケンス、時間に応じて変化する１つ以上の文字のシーケンス、時間に応じて変化する図形記号のシーケンス等）のために使用される。
【００３８】
さらに、本発明は、長期の時間がかかる（すなわち数秒だけでなく、時には、１分の何分の一から数分までかかる）手動でトリガされる測定の挙動を改良するためのアプローチを提案する。これは、予備値を導出及び表示し、そしてユーザが予備値を承諾することを可能にすることを含む。ユーザは、例えば臨床的判断に基づいて予備値を承諾することができ、かつ／又は測定アルゴリズムが、延長した時間後に、承諾可能な値（例えば良好な／安定した値）に到達し得なかった場合には、他の方法で測定を中止（abort）し、動作不能状態（ＩＮＯＰ）を示すことになる。
【００３９】
図１を参照すると、本発明を実行するためのデバイス１０が図示されている。デバイス１０は、パラメータの測定値を電子的に表示する能力を有し、かつ１）パラメータをローカルに測定することができるか、２）パラメータを測定するリモートデバイス及び／又はシステムと通信することができる、任意の電子デバイスとすることができる。デバイス１０は典型的に、図示される患者モニタ、ベッドサイドモニタ又は他のタイプのデバイスといった医療デバイスである。さらに、パラメータは典型的に、測定するのに長期の（すなわち数秒より長い）時間を要する人１２の生理的パラメータ及び／又はバイタルサインであるが、他のパラメータも考慮される。そのような生理的パラメータは、例えば動きを通して測定される呼吸数、非侵襲的血圧（ＮＢＰ）及び体温を含むことができる。
【００４０】
パラメータの測定は、パラメータのタイプに応じて異なる。特定のタイプのパラメータについて、測定値は、測定が完了するまで、測定の過程においてにパラメータの推定値を絶えず精査することにより決定される。測定が完了すると、推定値は測定値になる。パラメータの測定は、所定の基準が達成された後に完了することができる。そのような所定の基準は、例えば測定が始まってから経過した所定の時間、所定の安定性（確実性）及び／又は所定の精度等を達成する推定値のうちの１つ以上を含むことができる。さらに、パラメータの測定は、タイプに関わらず、例えば所定の時間内に所定の基準に合致しないと失敗することがある。
【００４１】
デバイス１０がパラメータをローカルで測定する場合、デバイス１０は、該デバイス１０がパラメータを測定するのに使用する１つ以上のセンサ１４を含む。デバイス１０は、センサ１４から収集される生のデータを処理して測定値を決定する。デバイス１０は、所定の基準に基づいて自動的に、かつ／又はユーザ入力に応答して、パラメータの測定をトリガすることができる。前者に関して、例えばパラメータを、タイミングシーケンスに従って、例えば所定の頻度で（例えば３０分ごとに）測定することができる。後者に関して、例えばユーザは、デバイス１０のボタンのようなユーザ入力デバイス１６を使用してパラメータの測定を開始することができる。図示されるように、デバイス１０は、患者の腕に配置されるセンサを使用して、患者の生理的パラメータをローカルで測定する患者モニタである。センサは、例えば患者のＮＢＰを測定するポンプ及び血圧バンドであり得る。
【００４２】
一部の実施形態において、デバイス１０は、パラメータの測定の過程を通して１つ以上の予備値を生成する。予備値は、パラメータの推定値に対応する。予備値は典型的に、推定値が、所定の安定性の程度及び／又は所定の精度といった所定の基準に到達すると、生成される。デバイス１０は加えて、予備値を測定値として承諾して、測定を終了することができる。
【００４３】
デバイス１０が、パラメータを測定するリモートデバイス及び／又はシステムと通信する場合、デバイス１０は、少なくとも、外部デバイス及び／又はシステムから測定値を受け取る。さらに、デバイス１０は、測定の開始後、外部デバイス及び／又はシステムからイベント通知を受け取る。このイベント通知は、パラメータの測定が開始されたことを示す。あるいは、デバイス１０は、上述の同じ基準に従って、自動的に又はユーザ入力に応答して、パラメータを測定するよう外部デバイス及び／又はシステムをトリガする。デバイス１０は、さらに、測定の完了後、外部デバイス及び／又はシステムからイベント通知を受け取る。このイベント通知は、パラメータの測定が完了したことを示し、オプションとして測定値を含む。
【００４４】
一部の実施形態において、デバイス１０は、パラメータの測定の過程を通して１つ以上の予備値を、外部デバイス及び／又はシステムから受け取る。上記のように、予備値は、パラメータの推定値に対応する。典型的に、推定値が、所定の安定性の程度及び／又は所定の精度といった所定の基準に到達すると、予備値が受け取られる。デバイス１０は加えて、予備値を測定値として承諾して、外部デバイス及び／又はシステムによる測定を終了することができる。
【００４５】
デバイス１０のグラフィカルユーザインタフェース（ＧＵＩ）１８は、アイコン、ウィンドウ、メニューといった図形要素を、デバイス１０のディスプレイデバイス２０上にユーザに対して表示する。図形要素は、ユーザに、パラメータの測定に関するデータを示すウィンドウ２２（図２を参照されたい）を提供する。ウィンドウ２２は、ディスプレイデバイス２０の利用可能な画面空間の任意の連続的な領域である。測定データは、測定値、測定値がいつ決定されたか、パラメータの識別子、パラメータの測定が自動でトリガされたか手動でトリガされたか、パラメータの測定を自動的にトリガする基準、パラメータの測定が進行中であるかどうか、予備値、パラメータの測定が失敗したかどうか等、のうちの１つ以上を含む。さらに、ＧＵＩ１８は、ユーザが、デバイス１０のユーザ入力デバイス１６を使用して図形要素を操作し、かつ／又は他の方法で対話することを可能にする。
【００４６】
図２に関連して、パラメータの測定が完了すると、ＧＵＩ１８のウィンドウ２２は、この場合は２７である測定値を識別するインジケータ２４を含む。さらに、ウィンドウ２２は、この場合はＬＢＬであるパラメータを識別するインジケータ２６を含むことができる。さらにまた、ウィンドウ２２は、パラメータが手動で測定されるか自動で測定されるかを示すインジケータ２８と、例えば測定頻度のように、パラメータが自動的に測定される時を示すインジケータ３０を含むことができる。図示されるように、ウィンドウ２２は、パラメータが３０分ごとに自動的に測定されることを示している。さらに、ウィンドウ２２は、この場合は１２：３０であるが、測定が完了した時（すなわちタイムスタンプ）を示すインジケータ３２を含むことができる。
【００４７】
図２に関連して説明される、測定の完了時に表示されるインジケータは、測定が進行しているときに表示されるインジケータとは異なる。さらに、測定が進行している間、手動でトリガされる測定について表示されるインジケータは、自動的にトリガされる測定について表示されるインジケータと異なる。しかしながら、表示されるインジケータを囲む状況に関わらず（例えば測定が進行中であるか否かに関わらず、そして測定が手動又は自動的にトリガされたかどうかに関わらず）、表示されるインジケータは、テキスト、図形（例えばアイコン）、他の同様のインジケータとすることができ、あるいは前述のものの任意の組合せとすることができる。
【００４８】
図３に関連して、パラメータの測定が自動的に（例えばスケジュールされた時間に）トリガされると、以前に測定された値を識別するインジケータ２４は、ウィンドウ２２上に維持される。典型的に、タイムスタンプインジケータ３２のような１つ以上のインジケータも、ウィンドウ２２上に維持される。図示されるように、図２に関連して説明したインジケータの全てがウィンドウ２２上で維持される。さらに、パラメータの測定値が自動的にトリガされるとき、目立たないインジケータ３４を表示して、測定が進行中であることを示す。目立たないインジケータ３４は、ユーザの注意を引かないインジケータに相当する。例えば目立たないインジケータ３４は、以前に測定された値を識別するインジケータ２４よりも小さなサイズである。さらに、目立たないインジケータ３４は典型的に、経時的に静的であり、図示されるように、以前に測定された値を識別するインジケータ２４に隣接している。目立たないインジケータ３４は、例えば点、ダッシュ又は同様のものとすることができる。
【００４９】
図４Ａ〜図４Ｃ、図５Ａ〜図５Ｆに関連して、パラメータの測定がユーザにより手動でトリガされる（例えばユーザが、ユーザ入力デバイス１６を使用してＧＵＩ１８のメニューからパラメータを選択する）とき、以前に測定された値を識別するインジケータ２４は、ウィンドウ２２から除去される。典型的に、タイムスタンプインジケータ３２のような１つ以上の他のインジケータも、ウィンドウ２２から除去される。さらに、パラメータの測定がユーザによって手動でトリガされると、以前に測定された値を識別するインジケータ２４用に以前使用されていたウィンドウ空間が、測定が進行中であることを示す、目立ちやすいインジケータ３６用に使用される。目立ちやすいインジケータ３６は、ユーザの注意を引くインジケータに相当する。例えば目立ちやすいインジケータ３６は、目立たないインジケータ３４に対して目立ちやすい（すなわち、より人目を引くものである）。さらに、目立ちやすいインジケータ３６は、典型的に動的であり（例えば所定の時間ごと、例えば１秒ごと、繰り返しのシーケンスに従って変化する）、例えば点、ダッシュ又は同様のものから構成される。目立ちやすいインジケータ３６は、異なるフォーマット、例えば異なるテキストサイズ、色、シェーディング、フォント、文字、記号、静的又は動的表示等を使用することによって、目立たないインジケータ３４と区別することができる。
【００５０】
図示されるように、目立ちやすいインジケータ３６は、動くダッシュ線の繰り返しのシーケンスである。図４Ａ、図５Ａ、図５Ｄは、単一のダッシュから成るシーケンスの第１の要素３８を示している。図４Ｂ、図５Ｂ及び図５Ｅは、第１の要素３８に続く、２つのダッシュから成るシーケンスの第２の要素４０を示している。図４Ｃ、図５Ｃ及び図５Ｆは、第２の要素４０に続く、３つのダッシュから成るシーケンスの第３の要素４２を示している。第１の要素３８が第３の要素４２に続く。各要素間の時間間隔は、例えば１秒とすることができる。より多く又は少ない要素も考慮される。さらに、列状で動く（marching）か、円状に回転するダッシュや点といった、他の目立ちやすいインジケータも考慮される。
【００５１】
図４Ａ〜図４Ｃに関連して、パラメータの手動トリガの測定の後、最初に、図２に関連して説明したインジケータのうち、パラメータを識別するインジケータ２６以外の全てのインジケータを、ウィンドウ２２から除去することができる。以前の図面の例示において描いたように、パラメータの測定は、例えば１２：３５にデバイス１０のユーザにより、ユーザ入力デバイス１６を使用して、手動でトリガされる可能性がある。
【００５２】
図５Ａ〜図５Ｆに関連して、予備値を識別するインジケータ４４を表示することができる。上述のように、予備値は、パラメータの推定値に対応する。予備値を識別するインジケータ４４は、例えばクエスチョンマークや、予備値の最初又は最後に付けることができる何らかの他のマークを含むテキストとすることができ、このマークは、予備値を「予備」として識別する。測定の過程において、予備値を識別するインジケータ４４を、新たな予備値で更新することができる。例えば図５Ａ及び図５Ｂに図示されるように、インジケータ４４の予備値は、初めに２０であり得る。その後ある時に、図５Ｃ及び図５Ｄに示されるように、インジケータ４４の予備値は２３であり得る。さらにまた、その後ある時に、図５Ｅ及び図５Ｆに示されるようにインジケータ４４の予備値は２２であり得る。
【００５３】
図６に関連して、パラメータの測定が完了すると、目立ちやすいインジケータ３６は、測定値、この場合は２１という測定値を識別するインジケータ２４で置換される。さらに、予備値のインジケータ４４は除去される。パラメータが手動で測定されるか自動で測定されるかを示すインジケータ２８と、パラメータがいつ自動で測定されるかを示すインジケータ３０とをウィンドウ２２に追加することができる。さらに、測定が完了した時、この場合は１２：３２を示すインジケータ３２もウィンドウ２２に追加することができる。所定の基準に合致した後、測定は完了する。例えば測定は、パラメータの推定値が十分な精度に達するか、かつ／又は安定すると完了する。
【００５４】
図７に関連して、一部の例では、測定は、測定の初期から最大時間（例えば４分）の経過後に、所定の基準を満たしていないことがある。この場合、デバイス１０は測定を終了し、失敗を示すようウィンドウ２２を更新する。これは、この場合は１２：３９という最大時間に到達したことを示すインジケータ４６（すなわちタイムスタンプ）を含むように、ウィンドウ２２を更新することにより実行され得る。さらに、目立ちやすいインジケータ３６のシーケンスの実行は一時停止される可能性があり、これにより、目立ちやすいインジケータ３６は静的であり、一時停止時には、目立ちやすいインジケータ３６の表示済みの要素が持続する。
【００５５】
測定が終了し、ウィンドウ２２を更新すると、ユーザは、ユーザ入力デバイス１６を使用して、ウィンドウ２２に上に示された予備値を承諾及び／又は確認するのに所定の期間（例えば２分）を有する。例えばユーザは、「予備値を承諾する（Accept  preliminary  value）」というタイトルのメニューアイテムを選択することができる。進捗バーのようなインジケータをウィンドウ２２に追加して、残り時間を示すこともできる。図８に関連して、ユーザが予備値、この場合は２２を承諾する場合、予備値は測定値になり、目立ちやすいインジケータ３６は、測定値を識別するインジケータ２４により置き換えられる。さらに、パラメータが手動で測定されるか自動で測定されるかを示すインジケータ２８及び／又はパラメータがいつ自動的に測定されるかを示すインジケータ３０を、ウィンドウ２２に追加することができる。また、予備値を識別するインジケータ４４は除去される。さらに、この場合は１２：３９であるが、測定がいつ完了したかを示すインジケータ３２をウィンドウ２２に追加することができる。
【００５６】
図９に関連して、ユーザが予備値を承諾しないか、所定に時間内に反応しなかった場合、測定は中止（abort）され得る。さらに、目立ちやすいインジケータ３６は、測定が中止されたことを示すインジケータ４８、この場合はクエスチョンマークで置き換えられる。さらにまた、パラメータが手動で測定されるか自動で測定されるかを示すインジケータ２８及び／又はパラメータがいつ自動的に測定されるかを示すインジケータ３０を、ウィンドウ２２に追加することができる。さらに、予備値を識別するインジケータ４４は除去される。さらに、この場合は１２：３９であるが、測定がいつ完了したかを示すインジケータ３２をウィンドウ２２に追加することができる。
【００５７】
図１０に関連して、ユーザは、上述のように予備値、この場合は２０が表示されている間、測定をイライラして待つ可能性がある。予備値が、ユーザの臨床的判断に基づいてユーザに対して承諾可能である場合、ユーザは、測定の完了を待たずに、ユーザ入力デバイス１６を使用して、その予備値を承諾することができる。例えばユーザは「予備値を承諾する」というタイトルのメニューアイテムを選択することができる。図１１を参照すると、これを行うと、予備値は測定値になり、目立ちやすいインジケータ３６は、測定値、この場合は２０を識別するインジケータ２４に置き換わる。さらに、予備値のインジケータ４４は除去される。パラメータが手動で測定されるか自動で測定されるかを示すインジケータ２８及び／又はパラメータがいつ自動的に測定されるかを示すインジケータ３０を、ウィンドウ２２に追加することができる。さらに、この場合は１２：３６であるが、測定がいつ完了したかを示すインジケータ３２をウィンドウ２２に追加することができる。
【００５８】
図１２に関連して、予備値を識別するインジケータ４４が表示されるとき、ウィンドウ２２は、測定の進行、パラメータの推定値の安定性、推定値及び／又は予備値の品質（例えば精度）及び同様のもののうちの１つ以上を識別するインジケータ５０も含むことができる。インジケータ５０は、例えばテキスト、バーチャート及び同様のものであってよい。図示されるように、このインジケータ５０は、推定値及び／又は予備値の精度が５０％であること（すなわち、推定値が正しい可能性が５０％であること）を示すバーチャートである。有利には、このインジケータ５０を使用して、予備値を承諾する際のユーザの確認を改良することができる。
【００５９】
図１３に関連して、測定を完了した後、ウィンドウ２２は、図示されるように、測定値が自動的に承諾されたか、あるいはユーザにより承諾されたかを識別するインジケータ５２も含むことができる。測定を完了するための所定の基準に合致しているとき、値は自動的に承諾される。ユーザが予備値を承諾するとき、値は手動で承諾される。
【００６０】
図１の参照に戻ると、デバイス１０は、少なくとも１つのプロセッサ５４と少なくとも１つのプログラムメモリ５６を含む。プログラムメモリ５６は、ＧＵＩ１８を具現化し、かつ上述の機能を実行するようプロセッサ５４により実行されるプロセッサ実行可能命令を含む。デバイス１０は更に、通信デバイス５８及び少なくとも１つのシステムバスを含む。通信デバイス５８は、デバイス１０が外部デバイス及び／又はシステムのような、外部のシステム及び／又はデバイスと通信することを可能にする。システムバスは、プロセッサ５４、プログラムメモリ５６、ディスプレイデバイス２０、通信デバイス５８、ユーザ入力デバイス１６及びデバイス１０の任意の他のコンポーネントを相互接続する。
【００６１】
前述を考慮して、本発明は、状況（すなわち、手動対自動でトリガされる測定）に応じた明確で適切なフィードバックをユーザに与える改良されたユーザインタフェースを説明する。このことは、次に、不注意によるユーザのミスの可能性を低減する。さらに、予備値の表示は、測定における信頼の構築を助けることができ、測定が予想通りに進んでいるかどうかに関してユーザが早期に判断することを可能にすることができる。このことは、次に、測定がまだ進行しているときに、ユーザが早期に、予備値を承諾するか正しいアクションを取ることを可能にする。前述の利点は、ユーザ時間、特に回診中に部内の多くの患者のバイタルサインを取る間のユーザ時間を節約することができる。
【００６２】
上記では単一のパラメータについてのみ検討したが、認識されるように、１つ以上の追加のパラメータを、パラメータ測定を表示及び／又は制御するためのＧＵＩ１８とともに用いることができる。例えば患者のＮＢＰと体温の双方の測定を、ＧＵＩ１８を使用して表示及び／又は制御することができる。さらに、ＧＵＩ１８は典型的に、長い時間（例えば１０秒以上）かかる非周期的な測定（例えば自動及び手動でトリガされ得る測定）に用いられる。
【００６３】
本明細書で使用されるとき、メモリは：非一時的コンピュータ読取可能媒体；磁気ディスク又は磁気記憶媒体；光ディスク又は他の光記憶媒体；ランダムアクセスメモリ（ＲＡＭ）、読取専用メモリ（ＲＯＭ）又は他の電子メモリデバイス又はチップ又は動作可能に相互接続されるチップのセット；格納された命令をインターネット／イントラネット又はローカルエリアネットワークを介して取り出すことができるインターネット／イントラネットサーバ；及び同様のもの、のうちの１つ以上を含む。さらに、本明細書で使用されるとき、プロセッサは、マイクロプロセッサ、マイクロコントローラ、グラフィクス処理ユニット（ＧＰＵ）、特定用途向け集積回路（ＡＳＩＣ）、ＦＰＧＡ及び同様のもの、のうちの１つ以上を含み；コントローラは、（１）プロセッサ及びメモリを含み、プロセッサが、コントローラの機能を具現化するメモリ上のコンピュータ実行可能命令を実行するか、（２）コントローラの機能を実行するアナログ及び／又はデジタルハードウェアを含み；ユーザ入力デバイスは、マウス、キーボード、タッチスクリーンディスプレイ、ボタン、スイッチ、音声認識エンジン及び同様のもの、のうちの１つ以上を含み；データベースは１つ以上のメモリを含み；ユーザ出力デバイスは、ディスプレイデバイス、聴覚デバイス及び同様のものを含み；ディスプレイデバイスは、液晶（ＬＣＤ）ディスプレイ、発光ダイオード（ＬＥＤ）ディスプレイ、プラズマディスプレイ、プロジェクションディスプレイ、タッチスクリーンディスプレイ及び同様のもの、のうちの１つ以上を含む。
【００６４】
本発明は好適な実施形態との関連で説明されている。前述の詳細な説明を読み、理解すると、他に対する修正及び変更が存在するであろう。本発明は、そのような修正及び変更が添付の特許請求の範囲又はその均等の範囲内にある限りにおいて、そのような修正及び変更を全て含むように解釈されることが意図される。
【図１】
0006366700.tif 000002
【図２】
0006366700.tif 000003
【図３】
0006366700.tif 000004
【図４Ａ】
0006366700.tif 000005
【図４Ｂ】
0006366700.tif 000006
【図４Ｃ】
0006366700.tif 000007
【図５Ａ】
0006366700.tif 000008
【図５Ｂ】
0006366700.tif 000009
【図５Ｃ】
0006366700.tif 000010
【図５Ｄ】
0006366700.tif 000011
【図５Ｅ】
0006366700.tif 000012
【図５Ｆ】
0006366700.tif 000013
【図６】
0006366700.tif 000014
【図７】
0006366700.tif 000015
【図８】
0006366700.tif 000016
【図９】
0006366700.tif 000017
【図１０】
0006366700.tif 000018
【図１１】
0006366700.tif 000019
【図１２】
0006366700.tif 000020
【図１３】
0006366700.tif 000021